(57)【要約】【課題】用紙を取り付ける際に斜行が発生し、用紙を取り除いて再度取り付けした場合、用紙種類の入力動作を省略することができる画像処理装置を提供すること。【解決手段】給紙された用紙が斜めに給紙されたか否かを検知する斜行検知機構を有する画像処理装置であって、給紙された用紙の状態を読み取る用紙状態読取手段と、前記用紙状態読取手段により読み取った用紙の種類の入力を受付ける用紙種類受付手段と、前記用紙の状態と用紙の種類を対応付けて記憶する記憶手段と、前記斜行検知手段により斜行検知された後、所定の時間内に用紙状態読取手段が用紙の状態を読み取った場合、前記用紙の種類の入力の受付を省略し、前記記憶手段に記憶された、前回斜行発生時に記憶された用紙の種類を利用することを特徴とする。【選択図】図１
2014091214.tif 000002
【特許請求の範囲】
【請求項１】
給紙された用紙が斜めに給紙されたか否かを検知する斜行検知機構を有する画像処理装置であって、
給紙された用紙の状態を読み取る用紙状態読取手段と、
前記用紙状態読取手段により読み取った用紙の種類の入力を受付ける用紙種類受付手段と、
前記用紙の状態と用紙の種類を対応付けて記憶する用紙情報記憶手段と、
前記斜行検知機構により斜行検知された後、所定の時間内に用紙状態読取手段が用紙の状態を読み取った場合、前記用紙の種類の入力の受付を省略し、前記記憶手段に用紙情報記憶手段により記憶された、前回斜行発生時に記憶された用紙の種類を利用することを特徴とする画像処理装置。
【請求項２】
前記斜行発生時に記憶された用紙の種類に対応する第１の用紙状態と、前記所定の時間内に前記用紙状態読取手段により読み取られた第２の用紙状態とを比較する比較手段を更に有し、
前記用紙種類受付手段は、
前記手段により前記第１の用紙状態と前記第２の用紙状態が異なると判定された場合は、前記所定の時間内であったとしても、前記第２の用紙状態に対応する用紙種類の入力を受付けることを特徴とする請求項１記載の画像処理装置。
【請求項３】
前記用紙の状態は、前記給紙された用紙が給紙された給紙口の情報を含むものであり、
前記比較手段は、前記斜行発生時に記憶された用紙が給紙された第１の給紙口と、前記所定の時間内に前記用紙状態読取手段により読み取られた第２の給紙口とを比較するものであり、
前記用紙種類受付手段は、
前記比較手段により、前記第１の用紙情報に含まれる給紙口情報と前記第２の用紙情報に含まれる給紙口情報が異なると判定された場合は、前記所定の時間内であっても、前記第２の用紙状態に対応する用紙種類の入力を受付けることを特徴とする請求項２に記載の画像処理装置。
【請求項４】
前記用紙の状態は、前記給紙された用紙のサイズ情報を含むものであり、
前記比較手段は、前記斜行発生時に記憶された用紙が給紙された第１の用紙情報の用紙サイズと、前記所定の時間内に前記用紙状態読取手段により読み取られた第２の用紙情報の用紙サイズとを比較するものであり、
前記用紙種類受付手段は、
前記比較手段により、前記第１の用紙情報の用紙サイズと前記第２の用紙情報の用紙サイズが異なると判定された場合は、前記所定の時間内であっても、前記第２の用紙状態に対応する用紙種類の入力を受付けることを特徴とする請求項２または３に記載の画像処理装置。
【請求項５】
給紙された用紙が斜めに給紙されたか否かを検知する斜行検知機構を有する画像処理装置の制御方法であって、
給紙された用紙の状態を読み取る用紙状態読取ステップと、
前記用紙状態読取ステップにより読み取った用紙の種類の入力を受付ける用紙種類受付ステップと、
前記用紙の状態と用紙の種類を対応付けて記憶する用紙情報記憶ステップと、
前記斜行検知機構により斜行検知された後、所定の時間内に用紙状態読取手段が用紙の状態を読み取った場合、前記用紙の種類の入力の受付を省略し、前記用紙情報記憶ステップにて記憶された、前回斜行発生時に記憶された用紙の種類を利用することを特徴とする画像処理装置の制御方法。
【請求項６】
給紙された用紙が斜めに給紙されたか否かを検知する斜行検知機構を有する画像処理装置を、
給紙された用紙の状態を読み取る用紙状態読取手段と、
前記用紙状態読取手段により読み取った用紙の種類の入力を受付ける用紙種類受付手段と、
前記用紙の状態と用紙の種類を対応付けて記憶する用紙情報記憶手段と、
前記斜行検知機構により斜行検知された後、所定の時間内に用紙状態読取手段が用紙の状態を読み取った場合、前記用紙の種類の入力の受付を省略し、前記用紙情報記憶手段に記憶された、前回斜行発生時に記憶された用紙の種類を利用することを特徴とする画像処理装置として機能させるためのプログラム。
【発明の詳細な説明】
【技術分野】
【０００１】
本発明は、給紙された用紙の斜行検知を行ことが可能な画像処理装置に関する。
【背景技術】
【０００２】
従来、大判プリンタなどでは、用紙を取り付ける（給紙）する際に用紙種類の入力が必要なプリンタがある。そして用紙種類の入力が行われた後に、用紙の斜行検知が行われる場合、斜行が検知されると再度用紙を給紙する必要がある。また、用紙種類を入力する前には、センサなどにより用紙の状態を検知する処理がなされ、斜行エラーが発生すると再度用紙種類の入力を行うまでに多くの時間を要していた。
【０００３】
これに対応した技術として、ロール状記録媒体を用いる記録装置において、斜行検出処理の回数、実行頻度を低減し、印字処理結果が得られるまでの時間を短縮するとともに、斜行の誤検出を防止するように施す装置が提案されている。（たとえば、特許文献１）
【先行技術文献】
【特許文献】
【０００４】
【特許文献１】特開２００８−１３９９４９号公報
【発明の開示】
【発明が解決しようとする課題】
【０００５】
しかしながら、特許文献１によれば、斜行検出処理の回数や実行頻度を低減することは可能であるが、再度用紙を取り付ける時には、毎回用紙種類の入力を行う必要がある。例えば、用紙種類の入力を省略することができれば、プリンタが自動で行う、（ユーザによる入力が不要な）用紙状態の検知や斜行検知に時間がかかろうとも、ユーザはその場から離れることも可能となる。
【０００６】
そこで、本発明では、用紙を取り付ける際に斜行が発生し、用紙を取り除いて再度取り付けした場合、用紙種類の入力動作を省略することができる画像処理装置を提供することを課題とする。
【課題を解決するための手段】
【０００７】
給紙された用紙が斜めに給紙されたか否かを検知する斜行検知機構を有する画像処理装置であって、給紙された用紙の状態を読み取る用紙状態読取手段と、前記用紙状態読取手段により読み取った用紙の種類の入力を受付ける用紙種類受付手段と、前記用紙の状態と用紙の種類を対応付けて記憶する記憶手段と、前記斜行検知手段により斜行検知された後、所定の時間内に用紙状態読取手段が用紙の状態を読み取った場合、前記用紙の種類の入力の受付を省略し、前記記憶手段に記憶された、前回斜行発生時に記憶された用紙の種類を利用することを特徴とする。
【発明の効果】
【０００８】
本発明によれば、用紙を取り付ける際に斜行が発生し、用紙を取り除いて再度取り付けした場合、用紙種類の入力動作を省略することができる画像処理装置を提供することを課題とする。
【図面の簡単な説明】
【０００９】
【図１】本発明の実施形態に係る画像処理装置（プリンタ）の外観を示す模式図である。
【図２】本発明の実施形態に係る画像出力装置の制御ブロックを示す図である。
【図３】本発明の実施形態に係る画像処理装置に適用可能なソフトウェアブロック図である。
【図４】本発明の実施形態に係る画像処理装置における従来の動作を示すフローチャートである。
【図５】本発明の実施形態に係る画像処理装置におけるメインの処理を示すフローチャートである。
【図６】本発明の実施形態に係る画像処理装置における用紙再設定情報テーブルの一例を示す図である。
【図７】本発明の実施形態に係る画像処理装置における用紙種類テーブルの一例を示す図である。
【図８】本発明の実施形態に係る画像処理装置における用紙種類の入力画面の一例を示す図である。
【図９】本発明の実施形態に係る画像処理装置における斜行エラー通知画面の一例を示す図である。
【発明を実施するための形態】
【００１０】
以下、図面を参照して、本発明の実施形態を詳細に説明する。
【００１１】
図１は、本実施形態に係る画像形成装置（プリンタ）の外観を示す模式図である。複数の定形カット紙が装填されている前部マガジンカセット１０１と、ロール紙および手差し用カット紙の給紙口である上部カバー１０２と、印刷に関する操作を入力可能なオペレーションパネル１０６、ロール紙を補填可能なロール紙ユニット１０４、印刷されたロール紙を巻き取り可能な巻き取り装置１０５と、を備えている。
【００１２】
印刷実行命令から確定した用紙種別により給紙動作が開始され、ロール紙１０３、前部マガジンカセット１０１に装填されたカット紙が選択される。印刷実行命令により任意の印刷データを印刷すると印刷動作を開始する。
【００１３】
印刷実行命令に用紙種別に関する設定がなされていない場合、デフォルトに使用される用紙設定または給紙口の設定がされている。
【００１４】
断面図＿１１０は、給紙機構の断面図を模式的に示した図である。給紙口は、１０２ａと１０２ｂとで示すように複数有することができる。矢印の方向に給紙された用紙は、紙送りローラ１１１によって矢印方向に搬送される。紙が搬送される際には用紙を押さえるための紙押えローラ１１３が利用される。
【００１５】
用紙検知センサ１１２は、用紙が給紙されたかどうかの検出およびどの給紙口から給紙されたかどうかの検出を行う。給紙口とは、本実施形態では、１０２ａ／１２０ｂとして示しているが、例えば、給紙口の上段／下段（および中段）や、手差し給紙口／カセット給紙口なとが挙げられる。
【００１６】
紙を版面に押しつけるためのプラテン１１４の上をマルチセンサ１１５が移動するようになっている。マルチセンサ１１５は、用紙のサイズに関する情報（紙厚／紙幅やＲＧＢ反射率）を取得することができるようになっている。また、斜行検知機構として動作することが可能で、用紙の斜行の検知を行うことができる。
【００１７】
なお、本実施例では、印刷される媒体（印刷媒体）のことを用紙として説明しているが、これに限ったものではなく、ＯＨＰシートや布などの媒体であっても構わない。
【００１８】
図２は、本発明の実施形態に係る画像処理装置の制御ブロックを示す図である。同図において印刷指示命令の流れとともに、各部の用途について説明する。
【００１９】
ＰＣホスト装置２１６ないしはオペレーションパネル２１４からの印刷指示により、テスト印刷が開始される。ＰＣホスト装置２１６からの印刷指示の場合は、ＬＡＮコントローラなどのインタフェース装置２０１を介して、コマンド／データ入出力処理部２０２にてコマンド解釈等が行われ、印刷データ生成・処理制御部２０３へ渡される。
【００２０】
一方、オペレーションパネル２１４からの印刷指示の場合には、実行命令がステータスバッファ２１１から、印刷データ生成・処理制御部２０３へ渡される。また、パネル表示部２１２には、オペレーションパネル２１４の入力部により入力された内容が表示バッファ２１３を介して表示される。
【００２１】
印刷データ生成・処理制御部２０３では、解釈済みの印刷命令をもとに印刷種別を特定し、任意の印刷データを生成して印刷バッファ２０４に渡される。また、特定された印刷種別と生成済みの印刷データに応じて、適用すべき用紙種別を判別し、給紙装置２０６に給紙指示を送る。
【００２２】
給紙装置２０６では、印字動作と共に、同印刷種別に応じてロール紙ユニット２０７、ないしはカット紙ユニット２０８、ないしは手差し用紙ユニット２０９のいずれかが駆動するようになっており、印刷部２０５と連携しながら給紙動作を実行する。図示は省略するが、印刷動作が終了すると排紙が行なわれる。その際、巻き取り装置２１５がアクティブな場合には、巻き取り装置が動作するようになっており、給紙がロール紙であった場合には、巻き取り動作が実行される。各種データテーブルについても印刷データ生成・処理制御部２０３に記憶される。
【００２３】
また、印刷データ生成・処理制御部２０３は、記憶領域が備わっており、処理に必要なテーブルやデータを保存しておくことが可能である。
【００２４】
なお、印刷種別がテスト印刷の場合は、上述の適用すべき用紙種別の判別は行われず、規定の印刷ユニットから給紙されるような画像形成装置に適用することも可能である。
【００２５】
図３は、本発明の実施形態に係る画像処理装置に適用可能なソフトウェアブロック図である。
【００２６】
画像処理装置３０１は、斜行検知部３１１、用紙状態検知部３１２、用紙種類受付部、用紙種類入力省略判定部３１４、用紙再設定情報テーブル３１５、用紙種類テーブル３１６、および判定条件テーブル３１７を有している。
【００２７】
斜行検知部３１１は、給紙口に挿入された用紙が斜めになっているかどうかの検知を行う。用紙状態検知部３１２では、用紙検知センサやマルチセンサなどの各種センサを利用して、挿入された用紙の状態を検知する。
【００２８】
用紙種類受付部３１３は、用紙状態検知部３１２による用紙状態の検知の後に、挿入された用紙の種類を入力させるものである。
【００２９】
用紙種類入力省略判定部３１４は、所定の条件を満たすかどうかの判定を行い、条件を満たすと判定された場合に、用紙種類受付部３１３による用紙種類の受付を省略する。所定の条件は、判定条件テーブル３１７（不図示）に記憶されている。
【００３０】
用紙再設定情報テーブル３１５は、前回設定した用紙に関する情報を再利用する際に利用されるテーブルである。
【００３１】
用紙種類テーブル３１６は、挿入された用紙の用紙ＩＤと名称が記録されているもので、用紙種類受付部３１３に入力されるものである。
それぞれの詳細については後述する。
【００３２】
図４は、本発明の実施形態に係る画像処理装置における従来の動作を示すフローチャートである。
【００３３】
従来技術において斜行エラーを検知した際のプリンタ動作について説明する。
【００３４】
ステップＳ４０１では、給紙時に給紙口に挿入された用紙を用紙検知センサ１１２で検知する。ここでは用紙が検知されるまで待機する。
【００３５】
ステップＳ４０２では、用紙状態を検知する。用紙状態を検知する。用紙状態とは、用紙のサイズに関する情報（用紙の紙厚(ｍｍ)・紙幅(インチ)）、ＲＧＢ反射率(%)および用紙が給紙された給紙口のことを指す。この時、サイズに関する情報およびＲＧＢ反射率はマルチセンサ１１５で検知し、給紙口については用紙検知センサ１１２または不図示の給紙口にあるセンサで検知する。
【００３６】
ステップＳ４０３で、用紙種類が入力されるまで待機する。図７および図８を利用して用紙種類について説明する。
【００３７】
図７は、本発明の実施形態に係る画像処理装置における用紙種類テーブルの一例を示す図である。
【００３８】
画像処理装置の記憶領域にあらかじめ記憶させておくものであり、用紙種類ＩＤ７０１と名称７０２が対応付いて記憶されている。
【００３９】
ユーザは図８に示す用紙種類入力画面から用紙種類の入力を行う。
【００４０】
図８は、本発明の実施形態に係る画像処理装置における用紙種類の入力画面の一例を示す図である。
【００４１】
用紙種類の入力画面は、画像処理装置のオペレーションパネルに表示される。メニュー切り替えキー８０１を押下することにより、印刷系のコマンドやそれ以外のコマンド実行種別、特定の印刷かまたはそれ以外の印刷モード種別、テスト印刷種別等、の選択が可能である。十字カーソルキー８０３とあわせて用いることで、表示部８０２に表示される内容を確認や選択をしていくことができる。
【００４２】
表示部８０２には、過去に使用実績のある用紙が表示されており、ユーザは、用紙種類ＩＤを直接入力することや、表示された用紙を選択することで、用紙種類の入力を行う。
【００４３】
図４の説明に戻る。ステップＳ４０４で、斜行検知を行う。ここでは、マルチセンサ１１５を用いて用紙が斜めに給紙されているか否かを検知する。斜行検知の方法については、従来技術の方法を利用するものとする。
【００４４】
ステップＳ４０４で、斜行エラーが発生したか判断を行う。
【００４５】
ステップＳ４０５で、斜行エラーが発生しなかった場合は、用紙の取り付けが完了する。
【００４６】
ステップＳ４０６で、斜行エラーが発生した場合は、用紙を取り除いてから再度用紙を取り付ける。
【００４７】
ステップＳ４０６で、用紙除去を検知する。以降、ステップＳ４０１から再度処理を行う。
【００４８】
図５は、本発明の実施形態に係る画像処理装置におけるメインの処理を示すフローチャートである。
【００４９】
図４に示す従来のフローでは、斜行エラーが発生すると給紙からスタートするので、「用紙検知」→「用紙状態検知」→「用紙種類の入力」を再度行わなければならない。この場合、例えば「用紙状態検知」に多くの時間を有する場合、ユーザは「用紙種類の入力」を行うまで画像処理装置の前で待機する必要がある。
【００５０】
本実施形態では、既に用紙種類の入力まで済んでいる場合に斜行エラーが発生したら、状況に応じて「用紙種類の入力」を省略させようというものである。これによって、ユーザは、例えば斜行エラーが発生した場合に、再度用紙の取り付けを行ったあと、画像処理装置の付近で用紙種類の入力待ちのために待機する必要がなくなり、時間を有効に使うことができるようになる。
【００５１】
ステップＳ５０１では、給紙時に給紙口に挿入された用紙をセンサで検知する。ここでは用紙が検知されるまで待機する。
【００５２】
ステップＳ５０２では、用紙状態を検知する。用紙状態を検知する。用紙状態を検知する。用紙状態とは、用紙のサイズに関する情報（用紙の紙厚(ｍｍ)・紙幅(インチ)）、ＲＧＢ反射率(%)および用紙が給紙された給紙口のことを指す。この時、サイズに関する情報およびＲＧＢ反射率はマルチセンサ１１５で検知し、給紙口については用紙検知センサ１１２または不図示の給紙口にあるセンサで検知する。ここで検知した用紙状態に関しては、用紙再設定情報テーブルに記憶され、ステップＳ５０６の判断にて使用される。図６を用いて用紙再設定情報テーブルについて説明する。
【００５３】
図６は、本発明の実施形態に係る画像処理装置における用紙再設定情報テーブルの一例を示す図である。
【００５４】
斜行発生時間６０１、用紙種類ＩＤ６０２、および用紙状態６０３が記憶されている。
【００５５】
ステップＳ５０２で取得した用紙状態を用紙状態６０３に記憶する。後ほどステップＳ５０５で入力を受付けた用紙種類を用紙種類１Ｄ６０２に記憶する。ステップＳ５０８で行われる斜行検知の結果、斜行が検知された場合、斜行が検知された時の用紙ＩＤ、用紙状態と対応付けて斜行発生時間６０１に発生時間を記録する。
【００５６】
ステップＳ５０３では、用紙再設定情報テーブルから、前回斜行が発生した際の斜行発生時間、用紙種類ID、用紙状態を取得する。プリンタ起動時から一度も斜行が発生していない場合は、用紙再設定情報テーブルは空の状態である。
【００５７】
ステップＳ５０４では、ステップＳ５０３で取得した前回の斜行発生時間から、所定の時間内かの判断を行う。所定の時間とは、例えば「３分以内」など任意に設定が可能となっている。
【００５８】
所定の時間内だった場合は、ステップＳ５０６にて、ステップＳ５０２で検知した用紙状態と、ステップＳ５０３で取得した前回の用紙状態を比較し、合致した場合は、同じ用紙が差し込まれたと判断する。用紙状態が合致するかどうかの判断は、紙厚、紙幅、ＲＧＢ反射率、給紙口が同じである場合に、合致したとみなす。ＲＧＢ反射率が一致するということは、紙質・色が一致したものとする。
【００５９】
また、これらの項目が全部一致する場合に、合致したとみなしてもよいし、用紙サイズが同じであれば合致したとみなしてもよいし、給紙口が同じであれば合致したとみなしてもよい。
【００６０】
ステップＳ５０６で用紙状態が合致した場合は、ステップＳ５０７で、前回斜行発生時に入力された用紙種類を利用する。これにより、斜行検知から所定時間内に用紙が検知された場合は、用紙種類の入力を省略することが可能となる。
【００６１】
ステップＳ５０４で斜行発生から所定の時間以上が経過していた場合、またはステップＳ５０６で用紙状態が合致しなかった場合は、Ｓ５０５の用紙種類が入力されるまで待機する。
【００６２】
ステップＳ５０８で、斜行検知を行う。ここでは、マルチセンサを用いて用紙が斜めに給紙されているか否かを検知する。ステップＳ５０９で、斜行エラーが発生したか判断を行う。
【００６３】
ステップＳ５０９で、斜行エラーが発生しなかった場合は、用紙の取り付けが完了する。
【００６４】
ステップＳ５０９で、斜行エラーが発生した場合は、用紙を取り除いてから再度用紙を取り付ける。
【００６５】
ステップＳ５１０で、用紙再設定情報テーブルに、用紙再設定情報を登録する。これは、次回斜行発生時に、ステップＳ５０３で前回の用紙再設定情報として利用するためである。
【００６６】
ステップＳ５１１で、用紙除去を検知する。以降、ステップＳ５０１から再度処理を行う。
【００６７】
図９は、本発明の実施形態に係る画像処理装置における斜行エラー通知画面の一例を示す図である。
【００６８】
図４のステップＳ４０４や図５のステップＳ５０８で斜行検知をした結果、斜行が検知された時にタッチパネル上に表示されるものである。
【００６９】
この際に、（斜行エラーが発生した場合）ユーザに次回同じ用紙種類を使用するかどうか入力を促す画面を表示し、同じ用紙種類を使用する選択が行われた場合は、前回の斜行発生時間から、所定の時間内かどうかを判断せず、同じ用紙種類を使用するよう（用紙種類の入力を省略）にしてもよい。また、用紙状態の検知を省略するように構成することもできる。
【００７０】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００７１】
また、本発明におけるプログラムは、本発明に示すフローチャートの処理方法をコンピュータが実行可能なプログラムであり、本発明の記憶媒体はコンピュータが実行可能なプログラムが記憶されている。なお、本発明におけるプログラムは各装置の処理方法ごとのプログラムであってもよい。
【００７２】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００７３】
この場合、記録媒体から読み出されたプログラム自体が本発明の新規な機能を実現することになり、そのプログラムを記憶した記録媒体は本発明を構成することになる。
【００７４】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００７５】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７６】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７７】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００７８】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【００７９】
なお、上述した各実施形態およびその変形例を組み合わせた構成も全て本発明に含まれるものである。
【符号の説明】
【００８０】
１０１  前部マガジンカセット
１０２  上部カバー
１０３  ロール紙
１０４  ロール紙ユニット
１０５  巻き取り装置
１０６  オペレーションパネル
【図１】
2014091214.tif 000003
【図２】
2014091214.tif 000004
【図３】
2014091214.tif 000005
【図４】
2014091214.tif 000006
【図５】
2014091214.tif 000007
【図６】
2014091214.tif 000008
【図７】
2014091214.tif 000009
【図８】
2014091214.tif 000010
【図９】
2014091214.tif 000011